【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
物体側にアタッチメント光学系を挿脱可能あるいは交換可能に備えたマスター光学系と、像面に配置された撮像素子とを有する撮像光学系において、
前記マスター光学系が、少なくとも３面の光学面を備えその間が屈折率が１より大きい透明媒質で満たさてなるプリズム部材を含み、そのプリズム部材は少なくとも１面の反射面を有し、少なくともその反射面が、偏心収差を補正する回転非対称な曲面形状に形成されていることを特徴とする撮像光学系。
【請求項２】
物体側から順に、挿脱可能あるいは交換可能なアタッチメント光学系と、マスター光学系と、像面に配置された撮像素子とを有する撮像光学系において、
前記マスター光学系が、少なくとも３面の光学面を備えその間が屈折率が１より大きい透明媒質で満たさてなるプリズム部材を含み、そのプリズム部材は少なくとも１面の反射面を有し、少なくともその反射面が、偏心収差を補正する回転非対称な曲面形状に形成されていることを特徴とする撮像光学系。
【請求項３】
画角変換用光学系、視野方向変換用光学系、フィルター等の光学部材を備えアタッチメント部を装着するためのジョイント部と、マスターレンズ部と、物体像を受光する撮像素子とを含んだ撮像装置において、
前記マスターレンズ部がプリズム部材を有し、前記プリズム部材が少なくとも入射面と反射面と射出面とを有し、少なくともその反射面が、偏心収差を補正する回転非対称な曲面形状に形成されていることを特徴とする撮像装置。
【請求項４】
画角変換用光学系、視野方向変換用光学系、フィルター等の光学部材を備えアタッチメント部と、前記アタッチメント部より像側に配置されたマスターレンズ部と、前記マスターレンズ部に前記アタッチメント部を装着するためのジョイント部と、物体像を受光する撮像素子とを含んだ撮像装置において、
前記マスターレンズ部がプリズム部材を有し、前記プリズム部材が少なくとも入射面と反射面と射出面とを有し、少なくともその反射面が、偏心収差を補正する回転非対称な曲面形状に形成されていることを特徴とする撮像装置。
【請求項５】
前記撮像素子の撮像面が入射光軸に対して傾いて配置されていることを特徴とする請求項１又は２記載の撮像光学系。
【請求項６】
請求項１、２、５の何れか１項記載の撮像光学系において、
前記プリズム部材が前記反射面と、前記反射面と対向配置された第２の反射面を有し、
物体中心を射出して瞳中心を通り像中心に到達する光線を軸上主光線とし、前記軸上主光線が前記プリズム部材の第１面に到るまでの方向をＺ軸方向、面の偏心面内をＹ軸方向、Ｙ軸、Ｚ軸と直交座標系を構成する軸をＸ軸とし、前記プリズム部材の入射面側から前記軸上主光線とＹ方向に微少量ｄ離れた平行光束を入射させ、前記プリズム部材から射出する側でその２つの光線のＹ−Ｚ面内でなす角のｓｉｎをＮＡ’ｙｉ、前記ＮＡ’ｙｉを前記平行光束の幅ｄで割った値ＮＡ’ｙｉ／ｄを前記プリズム部材のＹ方向のパワーＰｙとし、前記軸上主光線が、前記プリズム部材の最も物体側に配置された面から入射し、前記プリズム部材の最も像側に配置された面を射出するまでの光路長をｐとするとき、
０．１＜ｐ×Ｐｙ＜８                                  ・・・（１）
を満たすことを特徴とする撮像光学系。
【請求項７】
請求項６記載の撮像光学系において、
前記回転非対称曲面の唯一の対称面がＹ−Ｚ面であり、
前記軸上主光線の前記第１の反射面、前記第２の反射面との交点近傍のＸ方向のパワーをそれぞれＰｘ１、Ｐｘ２とするとき、
｜Ｐｘ１｜＜｜Ｐｘ２｜                                ・・・（５）
であることを特徴とする撮像光学系。
【請求項８】
請求項７記載の撮像光学系において、
１＜｜Ｐｘ２／Ｐｘ１｜＜２０                          ・・・（６）
であることを特徴とする撮像光学系。
【請求項９】
請求項６記載の撮像光学系において、
さらに、対称面を１つ有する面対称曲面からなる第２の透過面を有し、
前記第２の透過面の対称面、及び、前記回転非対称曲面の唯一の対称面がＹ−Ｚ面であり、
前記軸上主光線の前記第２の反射面との交点近傍のＸ方向のパワーをＰｘ２とし、前記軸上主光線の前記第２の透過面との交点近傍のＸ方向のパワーをＰｘ３とするとき、
｜Ｐｘ３／Ｐｘ２｜＜０．５                            ・・・（７）
であることを特徴とする撮像光学系。ただし、前記第２の透過面の対称面が複数若しくは無数にある場合は、前記第２の反射面の唯一の対称面とのなす角が最も小さくなる面を前記第２の透過面の対称面とする。
【手続補正２】
【補正対象書類名】明細書
【補正対象項目名】００５７
【補正方法】変更
【補正の内容】
【００５７】
また、Ｙ方向の光学系全体のパワーをＰｙとし、回転非対称な面の軸上主光線が当たる部分のＹ方向のパワーＰｙｎとするとき、
０＜｜Ｐｙｎ／Ｐｙ｜＜１００                        ・・・（１１）
なる条件式を満足することが、収差補正上好ましい。上記条件式の下限０と上限１００の意味は条件式（１０）の場合と同様である。
【手続補正３】
【補正対象書類名】明細書
【補正対象項目名】００８７
【補正方法】変更
【補正の内容】
【００８７】
この実施例において、マスター光学系ＭＬである偏心プリズム部材１０としては、第１面１１、第２面１２、第３面１３の３つの光学面からなり、その間が屈折率が１より大きい透明媒質で満たされてなり、同軸屈折系であるアタッチメントレンズＡＬ１、ＡＬ２又はＡＬ３、物体側のフィルター類Ｆ１を通過した物体からの光が、第１透過面である第１面１１から屈折して入射し、第３面１３からなる第１反射面で全反射され、第２面１２からなる第２反射面で反射され、その後第３面１３が構成する第２透過面から屈折して射出するものであり、第３面１３は第１反射面と第２透過面を兼用している。また、その第１面１１、第２面１２、第３面１３の３面共、偏心した自由曲面からなる。
【手続補正４】
【補正対象書類名】明細書
【補正対象項目名】００９０
【補正方法】変更
【補正の内容】
【００９０】
この実施例において、マスター光学系ＭＬである偏心プリズム部材１０としては、第１面１１、第２面１２、第３面１３の３つの光学面からなり、その間が屈折率が１より大きい透明媒質で満たされてなり、同軸屈折系であるアタッチメントレンズＡＬ１、ＡＬ２又はカバーガラスＦ３、フィルター類Ｆ１を通過した物体からの光が、第１透過面である第１面１１から屈折して入射し、第３面１３からなる第１反射面で全反射され、第２面１２からなる第２反射面で反射され、その後第３面１３が構成する第２透過面から屈折して射出するものであり、第３面１３は第１反射面と第２透過面を兼用している。また、その第１面１１、第２面１２、第３面１３の３面共、偏心した自由曲面からなる。
【手続補正５】
【補正対象書類名】明細書
【補正対象項目名】００９３
【補正方法】変更
【補正の内容】
【００９３】
この実施例において、マスター光学系ＭＬである偏心プリズム部材１０としては、第１面１１、第２面１２、第３面１３の３つの光学面からなり、その間が屈折率が１より大きい透明媒質で満たされてなり、同軸屈折系であるアタッチメントレンズＡＬ１、ＡＬ２又はＡＬ３、物体側のフィルター類Ｆ１を通過した物体からの光が、第１透過面である第１面１１から屈折して入射し、第３面１３からなる第１反射面で全反射され、第２面１２からなる第２反射面で反射され、その後第３面１３が構成する第２透過面から屈折して射出するものであり、第３面１３は第１反射面と第２透過面を兼用している。また、その第１面１１、第２面１２、第３面１３の３面共、偏心した自由曲面からなる。